(57)【要約】      （修正有）【課題】子供などが不用意に開封できず、かつ緊急時には迅速に信号筒として使用することができ、一度開封された発炎筒が容易に判別できるよう、開封履歴表示機能を備えた発炎筒を提供する。【解決手段】該発炎筒本体３を支持する底栓１と、該底栓と嵌合されるケース２と、からなる発炎筒において、該底栓が、底面と、該底面の周縁部から垂設された円筒状の側壁と、該側壁の上端に弱化体４を介して設けられたタンパーエビデントリング５と、からなることを特徴とする発炎筒。【選択図】図３
0003129621.tif 000002
【実用新案登録請求の範囲】
【請求項１】
発炎筒本体と、該発炎筒本体を支持する底栓と、該底栓と嵌合されるケースと、を備えた発炎筒において、
該底栓が、底面と、該底面の周縁部から垂設された円筒状の側壁と、該側壁の上端に弱化体を介して設けられたタンパーエビデントリングと、からなることを特徴とする発炎筒。
【請求項２】
前記弱化体及びタンパーエビデントリングがプラスチック製であることを特徴とする請求項１に記載の発炎筒。
【考案の詳細な説明】
【技術分野】
【０００１】
本考案は、開封履歴表示機能を備えた発炎筒に関する。
【背景技術】
【０００２】
車載用の発炎筒は、保安上の観点から、発炎筒本体がケースに収納され保管されている。それらは、従来、発炎筒本体、発炎筒支持部となる底栓、及びカバーとなるケースと呼ばれる部品から構成されている。発炎筒本体は、底栓に装着されてケース内に収容され、底栓及びケースが各々嵌合し一体化されており、主に自動車内のダッシュボード下部等に保管されている。（非特許文献１参照）
【０００３】
使用においては、緊急時、自動車内の保管場所から発炎筒をケースごと取り出し、底栓及びケースの嵌合部を引き抜くことで開封した後、底栓に装着された発炎筒本体を取り出し、着火して使用する。
【０００４】
従来の発炎筒においては、以下のような問題点があった。
【０００５】
一つ目の問題点は、子供が不用意に開封することができ、いたずらに着火させてしまう可能性がある。発炎筒は消防法に定められる危険物を薬剤として含有しており、小さな子供等が不用意に着火した場合、非常に危険であると同時に、火災などの二次災害につながる虞も生じる。
【０００６】
また、他の問題点としては、発炎筒の有効使用期限を改ざんし、不正な保持を継続される可能性がある。
【０００７】
発炎筒は緊急時に確実に着火でき、かつ視認性に優れた信号を送るという使命を持ち、発炎筒本体内の薬剤の十分な燃焼を保証するために、使用期限が定められている。この使用期限は通常、発炎筒のケース面に記載されている。従来の発炎筒は、ケース着脱の繰り返しが比較的容易であるため、このことを逆手にとり、使用期限が近づくと交換経費削減のため、適正な使用期限が記載されたケースのみ交換し、使用期限を改ざんするといった不正行為が想定される。そのような行為が行われた場合、実際上、発炎筒本体が使用期限内であるかどうか外観上の判別が困難である。
【０００８】
【非特許文献１】自動車用緊急保安炎筒、日本工業規格、ＪＩＳＤ５７１１
【考案の開示】
【考案が解決しようとする課題】
【０００９】
本考案の第一の目的は、子供などが不用意に開封できず、かつ緊急時には迅速に信号筒として使用することができる発炎筒を提供することである。そして、本考案の第二の目的は、一度開封された発炎筒が容易に判別できるよう、開封履歴表示機能を備えた発炎筒を提供することである。
【課題を解決するための手段】
【００１０】
本考案者は上記した問題点に鑑み、鋭意検討した結果、タンパーエビデントリングを備えた底栓を使用することで、上記問題点を解決できることを見出し、本考案を完成した。
【００１１】
すなわち本考案は発炎筒本体と、該発炎筒本体を支持する底栓と、該底栓と嵌合されるケースと、を備えた発炎筒において、
該底栓が、底面と、該底面の周縁部から垂設された円筒状の側壁と、該側壁の上端に弱化体を介して設けられたタンパーエビデントリングと、からなることを特徴とする発炎筒である。
【考案の効果】
【００１２】
子供等が不用意に開封することができなく、かつ、一度開封されるとタンパーエビデントリングがケースに付帯されるため、開封があったことを外観上で容易に判別できる。
【考案を実施するための最良の形態】
【００１３】
本考案の発炎筒を図面に基づき、詳細に説明する。なお、本考案はこの図面によって何ら限定されるものでない。
【実施例１】
【００１４】
図１は本考案の発炎筒開封前の構成を表す斜視図である。また、図２は本考案の発炎筒の正面図である。本考案の発煙筒は、底栓１とケース２とが嵌合され、内部に発炎筒本体３が密封されて収納されている。底栓１は、円形の底面と、該底面の周縁部から垂設されている円筒状の側壁を有するキャップ状の構造である。該側壁の上端には弱化体４を介して周状のタンパーエビデントリング５を有する。
【００１５】
発炎筒開封前は底栓１とケース２は容易に着脱されないよう嵌合されており、キャップ状底栓の内面及びケース口部の外壁には、各々が螺着するためのネジ山６が形成され、係合されている。
【００１６】
図３は本考案の発炎筒開封後の構成を表す斜視図である。タンパーエビデントリング５はケース口部の外壁面に係合するように形成してある。従って、未開封状態ではキャップ状の底栓を除去しない限り、底栓をつかんで引き上げることはできない。底栓を旋回すると弱化体４が破断を生じ、タンパーエビデントリング５は底栓１から切り離され、本発炎筒が開封される。開封後、タンパーエビデントリングはケース２側に残存するため、開封履歴が明示されることになる。タンパーエビデントリングが切り離された底栓１には、発炎筒本体が予め装着されており、これを取り出して使用する。
【００１７】
弱化体の形状は、図に示したように、底栓の側壁とタンパーエビデントリングとをブリッジ状につないだ形状が挙げられるが特に制限されない。
【００１８】
本考案に用いる底栓、タンパーエビデントリング、弱化体、ケースの材質に特に制限はなく、紙や粘着シールのようなものも使用できるが、子供等が不用意に開封できぬよう、密封性の面からプラスチック製のものが好ましい。
【産業上の利用可能性】
【００１９】
発炎筒のみでなく、内容物の使用に注意を要し、開封有無の確認が重要な用途にも適用できる。
【図面の簡単な説明】
【００２０】
【図１】本考案の発炎筒開封前の構成を表す斜視図
【図２】本考案の発炎筒の正面図
【図３】本考案の発炎筒開封後の構成を表す斜視図
【符号の説明】
【００２１】
１    底栓
２    ケース
３    発炎筒本体
４    弱化体
５    タンパーエビデントリング
６    ネジ山
【図１】
0003129621.tif 000003
【図２】
0003129621.tif 000004
【図３】
0003129621.tif 000005
【手続補正書】
【提出日】平成18年12月19日(2006.12.19)
【手続補正１】
【補正対象書類名】明細書
【補正対象項目名】００１４
【補正方法】変更
【補正の内容】
【００１４】
図１は本考案の発炎筒開封前の構成を表す斜視図である。また、図２は本考案の発炎筒の正面図である。本考案の発炎筒は、底栓１とケース２とが嵌合され、内部に発炎筒本体３が密封されて収納されている。底栓１は、円形の底面と、該底面の周縁部から垂設されている円筒状の側壁を有するキャップ状の構造である。該側壁の上端には弱化体４を介して周状のタンパーエビデントリング５を有する。